(57)【要約】【課題】配電機器本体の変更をしなくても、付加機器を現場で追加、交換することができ、装着される付加機器の耐候性能を不要にする。【解決手段】配電機器の端子装置を覆う耐候性の端子カバー２０において、端子装置を覆う端子装置収納部分とは区分板２３により区分された、付加機器を収納する付加機器収納部分と、該付加機器収納部分を覆う収納部カバー２４とを有している。【選択図】　　　　図４
2004077157.tif 000002
【特許請求の範囲】
【請求項１】
配電機器の端子装置を覆う耐候性の端子カバーにおいて、付加機器を収納する付加機器収納部分と、該付加機器収納部分を覆う収納部カバーとを有することを特徴とする配電機器の端子カバー。
【請求項２】
前記収納カバーに封印を施すことを特徴とする請求項１記載の配電機器の端子カバー。
【発明の詳細な説明】
【０００１】
【発明の属する技術分野】
本発明は、電力量計、タイムスイッチ、配電負荷スイッチ類等の配電機器の端子装置を覆う端子カバーの改良に関するものである。
【０００２】
【従来の技術】
従来、電力量計に付加価値を与える機器、または電力計測に付随する機器、例えば通信モジュール、表示器、電流、電圧、温度・湿度等の測定器等を電力量計と共に設置する場合には、下記の方法があった。
ａ．図１３に示されるように、電力量計６０に付加機能を持たせる。
ｂ．図１４に示されるように計器箱６１内に電力量計６０と共に付加機器６２を収める。
ｃ．図１５に示されるように電力量計６０と付加機器６２を個別に取り付ける。
【０００３】
【発明が解決しようとする課題】
しかしながら、図１３の従来例の場合、各付加機能を搭載する毎に電力量計６０の変更が必要になり、設計、評価等の時間、費用が必要になる。また、電力計測項目の追加、特に表示系に係わる場合には、表示が複雑になり、顧客の理解度を損ねる。さらに、電力量計６０の寿命と付加機能部分の寿命が整合しない場合には、総合的に短い方の寿命となってしまう。（例えば、単独の電力量計は１０年、通信モジュールは５年程度）
図１４の従来例の場合、屋外で使用する普通耐候形電力量計においては、もともと屋外計器箱と共に運用されるので、特にデメリットはないが、屋外で使用できる強化耐候形電力量計においては、必要としない屋外計器箱が必要になる。
【０００４】
図１５の従来例の場合、屋外で使用できる強化耐候形電力量計で、計器箱を使用しない時は、付加機器６２にも耐候性能（水、光）が必要で、コスト高となり、電力量計６０とは別の所有者封印が必要になるなどのデメリットがある。さらに、スペースもとり、美観上も好ましいものとはいえない。
【０００５】
（発明の目的）
本発明の目的は、配電機器本体の変更をしなくても、付加機器を現場で追加、交換することができ、装着される付加機器の耐候性能を不要にすることができる配電機器の端子カバーを提供することである。
【０００６】
【課題を解決するための手段】
上記目的を達成するために、本発明は、配電機器の端子装置を覆う耐候性の端子カバーにおいて、付加機器を収納する付加機器収納部分と、該付加機器収納部分を覆う収納部カバーとを有することを特徴とする配電機器の端子カバー、というものである。
【０００７】
【発明の実施の形態】
本発明の実施の形態は、電力量計の取付地域の多様性に係わる電力品質調査、取付環境の調査の支援、通信検針方式、電力料金の多様化などに対応するために、予め電力量計の端子カバーに付加機器の収納部分を設け、付加機器が装着された時点で付加機器が起動されるようにしているが、このような実施形態を説明する前に、電力量計の従来の端子カバーを図１６により説明する。
【０００８】
端子カバー６３は、電力量計の端子金具を含む端子装置を覆うものであり、端子装置に端子カバーねじ６４により取り付けられる。端子カバーねじ６４は電力会社（所有者）により封印される。６５は端子カバーパッキングであり、端子金具を保持する絶縁性の端子ブロックに圧接される。６６は電源側電線及び負荷側電線が挿通される開口である。
【０００９】
次に、本発明における付加機器の例を図１〜図３にそれぞれ示す。これらの付加機器は電力量計に対するものである。
【００１０】
図１に示される付加機器の第１の例は表示器である。電力量計１は、双方向計器で、電源部２、計測部３及び正方向電力量表示部４を有する。電源部２は、電力量計１への交流入力から計測部３及び正方向電力量表示部４に供給する電源を生成する。計測部３は、交流入力の電流、電圧から正方向電力量計測、逆方向電力量計測、電圧計測、電流計測、計測・計量値／時間の計測をそれぞれ行う。正方向電力量表示部４は計測部３により計測された正方向電力量を表示する。
【００１１】
付加機器である表示器５は、電源部６及び逆方向電力量表示部７を有し、電源部６は、電力量計１への交流入力から逆方向電力量表示部７に供給する電源を生成する。表示器５は、電力量計１の端子カバーに装着された時点で計測部３に逆方向電力量計測を起動させ、計測部３は計測した逆方向電力量データを表示器５に送信して、逆方向電力量表示部７に表示させる。
【００１２】
図２に示される付加機器の第２の例はデータロガーである。電力量計１は図１の場合と同じである。付加機器であるデータロガー８は、電源部９、記憶部１０及びデータ送信部１１を有し、電源部９は、電力量計１への交流入力から記憶部１０及びデータ送信部１１に供給する電源を生成する。データロガー８は、電力量計１の端子カバーに装着された時点で計測部３に電圧値及び電流値の計測を起動させ、計測部３は計測した電圧値及び電流値のデータを記憶部１０に送信して、記憶させると共に、それらのデータをデータ送信部１１に外部へ送信させる。電力量計１の計測部３が電圧計測の機能を有しない場合には、データロガー８の内部に電圧計測機能を持たせる。
【００１３】
図３に示される付加機器の第３の例もデータロガーである。電力量計１は図１の場合と同じである。付加機器であるデータロガー１２は、電源部１３、温度測定部１４及びデータ送信部１５を有し、電源部１３は、電池からなり、温度測定部１４及びデータ送信部１５に電源を供給する。温度測定部１４は、電力量計１の環境温度を測定し、記憶する。データ送信部１５は測定された温度のデータを外部へ送信する。
【００１４】
次いで、本発明の実施の形態である誘導形電力量計の端子カバーを以下に説明する。図４は、本発明の第１の実施形態である、端子カバーの斜視図を示し、図５（Ａ）は収納部カバーを除いた状態の正面図を、図５（Ｂ）は縦断面図を、図５（Ｃ）は収納部カバーのみを断面とした底面図を、それぞれ示す。
【００１５】
耐候性能を有する端子カバー２０の内部は、電力量計の端子装置を覆う端子装置収納部分２１と付加機器を収納する付加機器収納部分２２とに区分板２３により区分され、付加機器収納部分２２は収納部カバー２４によって開閉可能に閉鎖される。収納部カバー２４の一端は端子カバー２０のひんじ部２５に取り外し可能に結合し、他端は封印ワイヤー通し穴２６及び端子カバー２０の封印ワイヤー通し穴２７に封印ワイヤーが通され、封印されることによって端子カバー２０に固定される。
【００１６】
付加機器は、重量品の場合には付加機器取付ボス２８によりねじ固定され、軽量品の場合には付加機器取付爪２９によりスナップフィット係合される。３０は従来と同様の端子カバーねじ、３１は従来と同様の端子カバーパッキング、３２は従来と同様な、電源側電線及び負荷側電線が挿通される開口である。
【００１７】
区分板２３には、電力量計の端子装置と付加機器とを接続する通信線や電源供給線などの電線が通る電線通し穴３３が設けられ、その周囲には電線の保護のための絶縁ブッシュ３４が設けられている。
【００１８】
図４及び５に示される本発明の第１の実施形態が電力量計の端子カバーに装着された状態を図６及び図７に示す。
【００１９】
３５は電力量計であり、その端子カバー２０の内部（付加機器収納部分２２）には付加機器３６が収納される。図６の場合には、付加機器３６は付加機器固定ねじ３７によって固定される。電源側電線３８及び負荷側電線３９は電力量計３５の端子装置における端子金具に端子ねじにより接続される。端子装置と付加機器３６は電源供給線４０及び通信線４１により接続されるが、その詳細を図７により示す。
【００２０】
図７（Ａ）は電源供給線４０による接続の状態を示している。端子装置において絶縁性の端子ブロック４２に保持される電源用端子金具４３には電源供給線４０の一端が端子ねじ４４により接続され、電源供給線４０は電線通し穴３３を通って、その他端は付加機器３６のコネクタ４５に接続される。
【００２１】
図７（Ｂ）は通信線４１による接続の状態を示している。端子装置において絶縁性の端子ブロック４２に保持される通信用端子金具４６には通信線４１の一端が端子ねじ４７により接続され、通信線４１は電線通し穴３３を通って、その他端は付加機器３６のコネクタ４８に接続される。
【００２２】
図８は、本発明の第２の実施形態である、端子カバーの斜視図を示し、図９（Ａ）は収納部カバーを除いた状態の正面図を、図９（Ｂ）は縦断面図を、図９（Ｃ）は収納部カバーのみを断面とした底面図を、それぞれ示す。
【００２３】
第２の実施形態が第１の実施形態と異なる点は、一対の電源端子通し穴４９及び一対の通信端子通し穴５０が設けられている点である。これらの端子通し穴４９，５０は端子カバーパッキング３１を貫通する位置に設けられ、電源端子通し穴４９の周囲には端子カバーパッキング３１と一体に形成された電源端子ガイド５１が配置される。
【００２４】
図８及び９に示される本発明の第２の実施形態が電力量計の端子カバーに装着された状態を図１０及び図１１に示す。
【００２５】
付加機器３６の背面にはピン状の電源端子及び通信端子が固設され、これらの端子が電力量計３５の端子装置における端子ねじの頭部に接触することによって端子装置と付加機器３６は電源供給及び通信のために電気的に接続されるが、その詳細を図１１により示す。
【００２６】
図１１（Ａ）は電源端子５２の接続状態を示している。電源端子５２は電源端子ガイド５１に案内されて電源端子通し穴４９を通り、その先端は端子装置における電源用の端子ねじ４４の頭部に圧接する。
【００２７】
図１１（Ｂ）は通信端子５３の接続状態を示している。通信端子５３は通信端子通し穴５０を通り、その先端は端子装置における通信用の端子ねじ４７の頭部に圧接する。
【００２８】
図１２は、本発明の第３の実施形態である端子カバーを示し、この第３の実施形態は第２の実施形態において付加機器３６を収容部カバー２４に一体にしたものである。図１２（Ａ）は電源端子５２の接続状態を、図１１（Ｂ）は通信端子５３の接続状態を、それぞれ示す図である。
【００２９】
以上説明した本実施形態によれば、電力量計３５の変更をしなくても、種々の付加機能を有する付加機器３６を現場にて追加、変更することができ、柔軟性に富んだものにすることができる。
【００３０】
付加機器３６があってもなくても、電力量計３５自体はもともと耐候性があるように作られているので、その耐候性は安定して保たれる。
【００３１】
スペースをとらず、強化耐候計器の場合にも屋外計器箱を必要としない。
【００３２】
美観上はむしろ従来品より良い。
【００３３】
付加機器３６の耐候性能（水、光）を必要としない。
【００３４】
従来、封印個所は端子カバーねじ３０の２個所で行われているが、本実施形態では封印ワイヤー通し穴２６，２７の１個所で済む。
【００３５】
なお、付加機器３６と電力量計３５との通信は、有線通信に限らず、可視光や赤外光を用いる無線通信であってもよい。その場合には、区分板２３や端子カバーパッキング３１は透明部材とする。
【００３６】
【発明の効果】
以上説明したように、本発明によれば、配電機器本体の変更をしなくても、付加機器を現場で追加、交換することができ、装着される付加機器の耐候性能を不要にすることができる。
【図面の簡単な説明】
【図１】本発明の端子カバーに装着される付加機器の一例を示すブロック図である。
【図２】本発明の端子カバーに装着される付加機器の他の例を示すブロック図である。
【図３】本発明の端子カバーに装着される付加機器の別の例を示すブロック図である。
【図４】本発明の第１の実施形態である端子カバーを示す斜視図である。
【図５】本発明の第１の実施形態である端子カバーを示す図である。
【図６】本発明の第１の実施形態に付加機器を装着した状態を示す図である。
【図７】本発明の第１の実施形態における付加機器と端子装置の接続状態を示す図である。
【図８】本発明の第２の実施形態である端子カバーを示す斜視図である。
【図９】本発明の第２の実施形態である端子カバーを示す図である。
【図１０】本発明の第２の実施形態に付加機器を装着した状態を示す図である。
【図１１】本発明の第２の実施形態における付加機器と端子装置の接続状態を示す図である。
【図１２】本発明の第３の実施形態における付加機器と端子装置の接続状態を示す図である。
【図１３】従来技術の一例を示す図である。
【図１４】従来技術の他の例を示す図である。
【図１５】従来技術の別の例を示す図である。
【図１６】従来の電力量計の端子カバーを示す図である。
【符号の説明】
２０　端子カバー
２１　端子装置収納部分
２２　付加機器収納部分
２３　区分板
２４　収納部カバー
２６，２７　封印ワイヤー通し穴
３３　電線通し穴
３５　電力量計
３６　付加機器
３７　端子カバーねじ
４０　電源供給線
４１　通信線
４３　電源用端子金具
４４，４７　端子ねじ
４６　通信用端子金具
４９　電源端子通し穴
５０　通信端子通し穴
５２　電源端子
５３　通信端子
【図１】
2004077157.tif 000003
【図２】
2004077157.tif 000004
【図３】
2004077157.tif 000005
【図４】
2004077157.tif 000006
【図５】
2004077157.tif 000007
【図６】
2004077157.tif 000008
【図７】
2004077157.tif 000009
【図８】
2004077157.tif 000010
【図９】
2004077157.tif 000011
【図１０】
2004077157.tif 000012
【図１１】
2004077157.tif 000013
【図１２】
2004077157.tif 000014
【図１３】
2004077157.tif 000015
【図１４】
2004077157.tif 000016
【図１５】
2004077157.tif 000017
【図１６】
2004077157.tif 000018